(57)【要約】【課題】長期間にわたってサイドプレートの外れを防止しうる熱交換器を提供する。【解決手段】この発明を適用したコンデンサ１は、１対のヘッダタンクと、両ヘッダタンク間に設けられかつ熱交換管４およびサイドプレート６を有する熱交換コア部10と、熱交換コア部10に設けられた取付用ブラケット７とを備えている。取付用ブラケット７が、熱交換コア部10のサイドプレート６の外面に沿うベース部20と、ベース部20に設けられて熱交換コア部10を通風方向の両側から挟む１対の挟着片21,22とを有する。取付用ブラケット７の２つの挟着片21,22を相互に固定するとともに、両挟着片21,22によりサイドプレート６を通風方向の両側から挟む。【選択図】図３
2014153002.tif 000002
【特許請求の範囲】
【請求項１】
互いに間隔をおいて配置された１対のヘッダタンクと、両ヘッダタンク間に設けられた熱交換コア部と、熱交換コア部に設けられた取付用ブラケットとを備えており、熱交換コア部が、両ヘッダタンク間に並列状に配置されて両端部が両ヘッダタンクに接続された複数の熱交換管と、隣り合う熱交換管どうしの間および両端の熱交換管の外側に配置されて熱交換管にろう付されたフィンと、両端のフィンの外側に配置されてフィンにろう付されたサイドプレートとからなる熱交換器において、
取付用ブラケットが、サイドプレートにおける両端のフィンとは反対側を向いた面に沿うベース部と、ベース部に設けられて熱交換コア部を通風方向の両側から挟む１対の挟着片と、ベース部に設けられて熱交換管の並び方向の外側に突出する取付片とからなり、取付用ブラケットの２つの挟着片のうちの第１挟着片が熱交換管または第２挟着片に対して固定され、両挟着片がサイドプレートを通風方向の両側から挟んでいる熱交換器。
【請求項２】
取付用ブラケットの両挟着片どうしが相互に固定されるとともに、両挟着片がサイドプレートを通風方向の両側から挟んでいる請求項１記載の熱交換器。
【請求項３】
取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられている請求項２記載の熱交換器。
【請求項４】
熱交換コア部の両サイドプレート側に、それぞれ少なくとも１つの取付用ブラケットが設けられ、すべての取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられており、一方のサイドプレート側に設けられた取付用ブラケットと他方のサイドプレート側に設けられた取付用ブラケットとが、サイドプレートの長手方向の同一位置にあり、サイドプレートの長手方向の同一位置にある２つの取付用ブラケットが相互に一体化されている請求項３記載の熱交換器。
【請求項５】
相互に一体化された２つの取付用ブラケットにおける腕部が設けられた第１挟着片が通風方向の同一側に位置するとともに、両第１挟着片どうしが連結部を介して一体化されている請求項４記載の熱交換器。
【請求項６】
熱交換コア部の両サイドプレート側に、それぞれ少なくとも１つの取付用ブラケットが設けられ、一方のサイドプレート側に設けられた取付用ブラケットと他方のサイドプレート側に設けられた取付用ブラケットとが、サイドプレートの長手方向の同一位置にあり、サイドプレートの長手方向の同一位置にある２つの取付用ブラケットが相互に一体化されており、
相互に一体化された２つの取付用ブラケットのうちの第１取付用ブラケットが、サイドプレートにおける両端のフィンとは反対側を向いた面に沿うベース部と、ベース部に設けられて熱交換コア部を通風方向の両側から挟む１対の挟着片と、ベース部に設けられて熱交換管の並び方向の外側に突出する取付片とからなり、第１取付用ブラケットの両挟着片どうしが相互に固定されるとともに、両挟着片がサイドプレートを通風方向の両側から挟んでおり、
相互に一体化された２つの取付用ブラケットのうちの第２取付用ブラケットが、サイドプレートにおける両端のフィンとは反対側を向いた面に沿うベース部と、ベース部に設けられてサイドプレートを通風方向の両側から挟む１対の挟着片と、ベース部に設けられて熱交換管の並び方向の外側に突出する取付片とからなり、相互に一体化された２つの取付用ブラケットの通風方向の同一側に位置する挟着片どうしが連結部を介して一体化されている請求項１記載の熱交換器。
【請求項７】
第１取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられ、第２取付用ブラケットの両挟着片がサイドプレートの通風方向の両側縁部に係合しており、
第１取付用ブラケットの第１挟着片と、第２取付用ブラケットにおける当該第１挟着片と通風方向の同一側に位置する第１挟着片とが連結部を介して一体化され、第１取付用ブラケットの第２挟着片の先端部が、第２取付用ブラケットにおける当該第２挟着片と通風方向の同一側に位置する第２挟着片の近傍まで延在し、
第１取付用ブラケットの第２挟着片の先端部と、両取付用ブラケットの第１挟着片どうしを連結する連結部とが相互に固定されている請求項６記載の熱交換器。
【請求項８】
相互に一体化された２つの取付用ブラケットのうちの第１取付用ブラケットの第２挟着片の先端部および両取付用ブラケットの第１挟着片どうしを連結する連結部のうちいずれか一方に、隣り合う熱交換管どうしの間を通って同他方側にのびる腕部が設けられ、同他方に腕部が通る貫通穴が形成され、腕部の先端部に、貫通穴の周縁の一部分に係合する係合爪が設けられている請求項７記載の熱交換器。
【請求項９】
取付用ブラケットの第１挟着片が熱交換管に対して固定されるとともに、両挟着片がサイドプレートを通風方向の両側から挟んでいる請求項１記載の熱交換器。
【請求項１０】
取付用ブラケットの第１挟着片に、隣り合う熱交換管どうしの間を通って第２挟着片側にのびる腕部が設けられ、当該腕部の先端部に、熱交換管における取付用ブラケットの第２挟着片側の縁部に係合する係合爪が設けられ、取付用ブラケットの第２挟着片が、サイドプレートにおける第１挟着片とは反対側の縁部に係合している請求項９記載の熱交換器。
【発明の詳細な説明】
【技術分野】
【０００１】
この発明は熱交換器に関する。
【背景技術】
【０００２】
たとえば、カーエアコン用コンデンサに用いられる熱交換器として、本出願人は、先に、長手方向を上下方向に向けるとともに互いに間隔をおいて配置された１対のヘッダタンクと、幅方向を通風方向に向けた状態で両ヘッダタンク間にヘッダタンクの長手方向に間隔をおいて配置され、かつ両端部が両ヘッダタンクに接続された複数の扁平状熱交換管と、隣り合う熱交換管どうしの間および両端の熱交換管の外側に配置されて熱交換管にろう付されたフィンと、両端のフィンの外側に配置されてフィンにろう付されたサイドプレートとを備えており、ヘッダタンクが、両端が開口した筒状タンク本体と、タンク本体の両端開口を閉鎖する閉鎖部材とを有し、サイドプレートの両端部が、それぞれ両ヘッダタンクのタンク本体の周壁における閉鎖部材よりも両端の熱交換管側の部分に形成された貫通穴に通されてタンク本体の周壁にろう付され、サイドプレートの長手方向の中間部にブラケットが設けられている熱交換器を提案した（特許文献１参照）。
【０００３】
特許文献１記載の熱交換器からなるコンデンサは、ブラケットを利用して車両に装着されたり、あるいはブラケットを利用して特許文献１記載の熱交換器と同様な構成を有するオイルクーラに連結されて使用されるので、ブラケットに加わる振動が直接サイドプレートに伝わるようになっている。
【０００４】
そして、特許文献１記載の熱交換器をカーエアコン用コンデンサとして長期間使用した場合、腐食によりフィンが減肉して強度が低下するので、前記振動によりサイドプレートが外れるおそれがある。
【先行技術文献】
【特許文献】
【０００５】
【特許文献１】特開２００８−５１４５６号公報
【発明の概要】
【発明が解決しようとする課題】
【０００６】
この発明の目的は、上記問題を解決し、長期間にわたってサイドプレートの外れを防止しうる熱交換器を提供することにある。
【課題を解決するための手段】
【０００７】
本発明は、上記目的を達成するために以下の態様からなる。
【０００８】
1)互いに間隔をおいて配置された１対のヘッダタンクと、両ヘッダタンク間に設けられた熱交換コア部と、熱交換コア部に設けられた取付用ブラケットとを備えており、熱交換コア部が、両ヘッダタンク間に並列状に配置されて両端部が両ヘッダタンクに接続された複数の熱交換管と、隣り合う熱交換管どうしの間および両端の熱交換管の外側に配置されて熱交換管にろう付されたフィンと、両端のフィンの外側に配置されてフィンにろう付されたサイドプレートとからなる熱交換器において、
取付用ブラケットが、サイドプレートにおける両端のフィンとは反対側を向いた面に沿うベース部と、ベース部に設けられて熱交換コア部を通風方向の両側から挟む１対の挟着片と、ベース部に設けられて熱交換管の並び方向の外側に突出する取付片とからなり、取付用ブラケットの２つの挟着片のうちの第１挟着片が熱交換管または第２挟着片に対して固定され、両挟着片がサイドプレートを通風方向の両側から挟んでいる熱交換器。
【０００９】
2)取付用ブラケットの両挟着片どうしが相互に固定されるとともに、両挟着片がサイドプレートを通風方向の両側から挟んでいる上記1)記載の熱交換器。
【００１０】
3)取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられている上記2)記載の熱交換器。
【００１１】
4)熱交換コア部の両サイドプレート側に、それぞれ少なくとも１つの取付用ブラケットが設けられ、すべての取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられており、一方のサイドプレート側に設けられた取付用ブラケットと他方のサイドプレート側に設けられた取付用ブラケットとが、サイドプレートの長手方向の同一位置にあり、サイドプレートの長手方向の同一位置にある２つの取付用ブラケットが相互に一体化されている上記3)記載の熱交換器。
【００１２】
5)相互に一体化された２つの取付用ブラケットにおける腕部が設けられた第１挟着片が通風方向の同一側に位置するとともに、両第１挟着片どうしが連結部を介して一体化されている上記4)記載の熱交換器。
【００１３】
6)熱交換コア部の両サイドプレート側に、それぞれ少なくとも１つの取付用ブラケットが設けられ、一方のサイドプレート側に設けられた取付用ブラケットと他方のサイドプレート側に設けられた取付用ブラケットとが、サイドプレートの長手方向の同一位置にあり、サイドプレートの長手方向の同一位置にある２つの取付用ブラケットが相互に一体化されており、
相互に一体化された２つの取付用ブラケットのうちの第１取付用ブラケットが、サイドプレートにおける両端のフィンとは反対側を向いた面に沿うベース部と、ベース部に設けられて熱交換コア部を通風方向の両側から挟む１対の挟着片と、ベース部に設けられて熱交換管の並び方向の外側に突出する取付片とからなり、第１取付用ブラケットの両挟着片どうしが相互に固定されるとともに、両挟着片がサイドプレートを通風方向の両側から挟んでおり、
相互に固定された２つの取付用ブラケットのうちの第２取付用ブラケットが、サイドプレートにおける両端のフィンとは反対側を向いた面に沿うベース部と、ベース部に設けられてサイドプレートを通風方向の両側から挟む１対の挟着片と、ベース部に設けられて熱交換管の並び方向の外側に突出する取付片とからなり、相互に一体化された２つの取付用ブラケットの通風方向の同一側に位置する挟着片どうしが連結部を介して一体化されている上記1)記載の熱交換器。
【００１４】
7)第１取付用ブラケットの第１挟着片に、隣り合う熱交換管どうしの間を通って第２挟着片側にのびる腕部が設けられ、同じく第２挟着片に、第１挟着片の腕部が通る貫通穴が形成され、第１挟着片の腕部の先端部に、第２挟着片における貫通穴の周縁の一部分に係合する係合爪が設けられ、第２取付用ブラケットの両挟着片がサイドプレートの通風方向の両側縁部に係合しており、
第１取付用ブラケットの第１挟着片と、第２取付用ブラケットにおける当該第１挟着片と通風方向の同一側に位置する第１挟着片とが連結部を介して一体化され、第１取付用ブラケットの第２挟着片の先端部が、第２取付用ブラケットにおける当該第２挟着片と通風方向の同一側に位置する第２挟着片の近傍まで延在し、
第１取付用ブラケットの第２挟着片の先端部と、両取付用ブラケットの第１挟着片どうしを連結する連結部とが相互に固定されている上記6)記載の熱交換器。
【００１５】
8)相互に一体化された２つの取付用ブラケットのうちの第１取付用ブラケットの第２挟着片の先端部および両取付用ブラケットの第１挟着片どうしを連結する連結部のうちいずれか一方に、隣り合う熱交換管どうしの間を通って同他方側にのびる腕部が設けられ、同他方に腕部が通る貫通穴が形成され、腕部の先端部に、貫通穴の周縁の一部分に係合する係合爪が設けられている上記7)記載の熱交換器。
【００１６】
9)取付用ブラケットの第１挟着片が熱交換管およびサイドプレートに対して固定されるとともに、両挟着片がサイドプレートを通風方向の両側から挟んでいる上記1)記載の熱交換器。
【００１７】
10)取付用ブラケットの第１挟着片に、隣り合う熱交換管どうしの間を通って第２挟着片側にのびる腕部が設けられ、当該腕部の先端部に、熱交換管における取付用ブラケットの第２挟着片側の縁部に係合する係合爪が設けられ、取付用ブラケットの第２挟着片が、サイドプレートにおける第１挟着片とは反対側の縁部に係合している上記9)記載の熱交換器。
【発明の効果】
【００１８】
上記1)〜10)の熱交換器によれば、取付用ブラケットが、サイドプレートにおける両端のフィンとは反対側を向いた面に沿うベース部と、ベース部に設けられて熱交換コア部を通風方向の両側から挟む１対の挟着片と、ベース部に設けられて熱交換管の並び方向の外側に突出する取付片とからなり、取付用ブラケットの２つの挟着片のうちの第１挟着片が熱交換管およびサイドプレートに対して固定され、同じく第２挟着片が熱交換管または第２挟着片にに対して固定され、両挟着片がサイドプレートを通風方向の両側から挟んでいるので、腐食によりフィンが減肉して強度が低下した場合であっても、サイドプレートの外れを長期間にわたって防止することが可能になる。
【００１９】
上記2)の熱交換器によれば、サイドプレートの外れを防止する効果が一層顕著になる。
【００２０】
上記3)の熱交換器によれば、取付用ブラケットの両挟着片どうしを相互に固定する作業、および両挟着片によりサイドプレートを通風方向の両側から挟む作業を比較的簡単に行うことができる。また、取付用ブラケットを、熱交換管およびサイドプレートの長手方向の任意の位置に取り付けることが可能になり、レイアウト性の向上を図ることができる。
【００２１】
上記4)および5)の熱交換器によれば、上記3)の熱交換器において、部品点数を削減することができる。
【００２２】
上記6)の熱交換器によれば、上記1)の熱交換器において、部品点数を削減することができる。
【００２３】
上記7)の熱交換器によれば、上記6)の熱交換器において、第１取付用ブラケットの両挟着片どうしを相互に固定する作業、および両挟着片によりサイドプレートを通風方向の両側から挟む作業を比較的簡単に行うことができる。また、両取付用ブラケットを、熱交換管およびサイドプレートの長手方向の任意の位置に取り付けることが可能になり、レイアウト性の向上を図ることができる。
【００２４】
上記8)の熱交換器によれば、サイドプレートの外れを防止する効果が一層顕著になる。
【００２５】
上記10)の熱交換器によれば、上記9)の熱交換器において、取付用ブラケットの第１挟着片を熱交換管に対して固定する作業、および両挟着片によりサイドプレートを通風方向の両側から挟む作業を比較的簡単に行いうる。
【図面の簡単な説明】
【００２６】
【図１】この発明の熱交換器を適用したコンデンサの全体構成を示す斜視図である。
【図２】図１のコンデンサの一部分を拡大しかつフィンを省略して示す風上側から見た図である。
【図３】図２のＡ−Ａ線拡大断面図である。
【図４】図２および図３に示す取付用ブラケットを熱交換器の熱交換コア部に装着する方法を示す部分拡大斜視図である。
【図５】図１のコンデンサに用いられる取付用ブラケットの第１の変形例を示す側方から見た一部を省略した垂直断面図である。
【図６】図１のコンデンサに用いられる取付用ブラケットの第２の変形例を示す図２相当の図である。
【図７】図６のＢ−Ｂ線拡大断面図である。
【図８】図６に示す取付用ブラケットを熱交換器の熱交換コア部に装着する方法を示す部分拡大斜視図である。
【図９】図１のコンデンサに用いられる取付用ブラケットの第３の変形例を示す図５相当の図である。
【図１０】図９に示す取付用ブラケットを熱交換器の熱交換コア部に装着する方法を示す部分拡大斜視図である。
【図１１】図１０の部分拡大図である。
【図１２】図１０の図１１とは異なる部分の拡大図である。
【発明を実施するための形態】
【００２７】
以下、この発明の実施形態を、図面を参照して説明する。この実施形態は、この発明による熱交換器を、カーエアコン用のコンデンサに適用したものである。
【００２８】
なお、以下の説明において、図１に矢印Ｘで示す方向が風の流れる方向であり、風上側から風下側を見た際の上下、左右、すなわち図１および図２の上下、左右を上下、左右というものとする。また、「アルミニウム」という用語には、純アルミニウムの他にアルミニウム合金を含むものとする。
【００２９】
また、全図面を通じて同一部分および同一物には同一符号を付して重複する説明を省略する。
【００３０】
図１において、コンデンサ(1)は、長手方向を上下方向に向けた状態で左右方向に間隔をおいて配置された１対のアルミニウム製ヘッダタンク(2)(3)と、両ヘッダタンク(2)(3)間に設けられた熱交換コア部(10)と、熱交換コア部(10)の上下両側にそれぞれ設けられた取付用ブラケット(7)とを備えている。
【００３１】
各ヘッダタンク(2)(3)は、両端が開口した筒状のアルミニウム製タンク本体(8)と、タンク本体(8)の両端にろう付されてその両端開口を閉鎖するアルミニウム製板状閉鎖部材(9)とからなる。左側ヘッダタンク(2)は、高さ方向の中央部よりも上方において仕切部材(11)により上下２つのヘッダ部(2a)(2b)に仕切られ、右側ヘッダタンク(3)は、高さ方向の中央部よりも下方において仕切部材(12)により上下２つのヘッダ部(3a)(3b)に仕切られている。左側ヘッダタンク(2)のタンク本体(8)における仕切部材(11)よりも上方の部分に、上ヘッダ部(2a)内に通じるアルミニウム製入口部材(13)がろう付され、右側ヘッダタンク(3)のタンク本体(8)における仕切部材(12)よりも下方の部分に、下ヘッダ部(3b)内に通じるアルミニウム製出口部材(14)がろう付されている。
【００３２】
熱交換コア部(10)は、両ヘッダタンク(2)(3)間において、幅方向を通風方向に向けるとともに長手方向を左右方向に向けた状態で上下方向に間隔をおいて配置され、かつ両端部が両ヘッダタンク(2)(3)に接続された複数の扁平状アルミニウム製熱交換管(4)と、隣り合う熱交換管(4)どうしの間、ならびに上端の熱交換管(4)の上側および下端の熱交換管(4)の下側に配置されて熱交換管(4)にろう付されたアルミニウム製コルゲートフィン(5)と、上端のコルゲートフィン(5)の上側および下端のコルゲートフィン(5)の下側に配置されてコルゲートフィン(5)にろう付されたアルミニウム製サイドプレート(6)とからなる。サイドプレート(6)の両端部は、両ヘッダタンク(2)(3)のタンク本体(8)に形成された貫通穴に挿入されてタンク本体(8)にろう付されている。
【００３３】
取付用ブラケット(7)は、熱交換コア部(10)の上下両側（両サイドプレート(6)側）に、それぞれ少なくとも１つ、ここでは左右方向（サイドプレート(6)の長手方向）に間隔をおいて２つ設けられている。上側の取付用ブラケット(7)と下側の取付用ブラケット(7)とは、サイドプレート(6)の長手方向に関して同一位置に設けられている。
【００３４】
図２および図３に示すように、取付用ブラケット(7)はプラスチックまたは金属により形成されたものであり、サイドプレート(6)における両端のコルゲートフィン(5)とは反対側を向いた面に沿う平板状のベース部(20)と、ベース部(20)に一体に設けられて熱交換コア部(10)を通風方向の両側から挟む１対の垂直平板状の挟着片(21)(22)と、ベース部(20)に一体に設けられて熱交換管(4)の並び方向の外側に突出し、かつねじなどの取付部品を通す貫通穴(23a)を有する垂直平板状の取付片(23)とからなる。
【００３５】
取付用ブラケット(7)の両挟着片(21)(22)は、それぞれ先端が両端から少なくとも２番目の熱交換管(4)を越える位置、ここでは両端から２番目の熱交換管(4)を越える位置まで延びており、相互に固定されるとともに熱交換管(4)およびサイドプレート(6)に対して固定され、さらにサイドプレート(6)を通風方向の両側から挟んでいる。すべての取付用ブラケット(7)の両挟着片(21)(22)のうち風下側の第１挟着片(21)に、隣り合う熱交換管(4)どうしの間を通って風上側の第２挟着片(22)側にのびる複数の腕部(24)が設けられ、同じく第２挟着片(22)に、第１挟着片(21)の腕部(24)が通る貫通穴(25)が形成されている。第１挟着片(21)の腕部(24)は上下方向および左右方向に間隔をおいて複数設けられており、上側の腕部(24)は上側の熱交換管(4)の下面に沿い、下側の腕部(24)は下側の熱交換管(4)の上面に沿っている。上側の複数の腕部(24)の先端部（風上側端部）には上方に屈曲した係合爪(26)が一体に設けられ、下側の複数の腕部(24)の風上側端部には下方に屈曲した係合爪(26)が一体に設けられている。そして、上側の腕部(24)の係合爪(26)が、第２挟着片(22)における貫通穴(25)の上縁部分（貫通穴(25)の周縁の一部分）に係合するとともに、下側の腕部(24)の係合爪(26)が、第２挟着片(22)における貫通穴(25)の下縁部分（貫通穴(25)の周縁の一部分）に係合することによって、両挟着片(21)(22)どうしが相互に固定されるとともに熱交換管(4)およびサイドプレート(6)に対して固定され、さらにサイドプレート(6)を通風方向の両側から挟んでいる。
【００３６】
コンデンサ(1)は、取付用ブラケット(7)を除くすべての部品を一括ろう付した後に、取付用ブラケット(7)を熱交換コア部(10)に取り付けることにより製造される。
【００３７】
次に、図３および図４を参照して取付用ブラケット(7)の熱交換コア部(10)への取付方法を示す。
【００３８】
まず、図３に鎖線で示すように、両挟着片(21)(22)がベース部(20)と面一となるように広がった状態の取付用ブラケット(7)を用意する。この取付用ブラケット(7)のベース部(20)と両挟着片(21)(22)との間の境界部の上下両面に折り目溝を形成しておく。ついで、第１挟着片(21)をベース部(20)に対して直角に曲げた状態で、腕部(24)を隣り合う２つの熱交換管(4)どうしの間に風下側から通すとともに、ベース部(20)をサイドプレート(6)における熱交換管(4)の並び方向の外面に沿わせる。その後、第２挟着片(22)をベース部(20)に対して直角に曲げ、腕部(24)を貫通穴(25)に強制的に通す。このとき、係合爪(26)は、貫通穴(25)を通過する際に弾性変形し、貫通穴(25)を通過すると元の形状に復元して、上側の腕部(24)の係合爪(26)が、第２挟着片(22)における貫通穴(25)の上縁部分に係合するとともに、下側の腕部(24)の係合爪(26)が、第２挟着片(22)における貫通穴(25)の下縁部分に係合する。こうして、両挟着片(21)(22)が相互に固定されるとともに熱交換管(4)およびサイドプレート(6)に対して固定され、取付用ブラケット(7)が熱交換コア部(10)に取り付けられる。
【００３９】
上述したコンデンサ(1)は、取付用ブラケット(7)を利用して車両に取り付けられ、圧縮機、気液分離器、減圧器およびエバポレータなどとともに、フロン系冷媒を用いるカーエアコンを構成する。
【００４０】
図５はこの発明の熱交換器を適用したコンデンサに用いられる取付用ブラケットの第１の変形例を示す。
【００４１】
図５において、熱交換コア部(4)の両サイドプレート(6)側（上下両側）に設けられ、かつサイドプレート(6)の長手方向の同一位置にある上下２つの取付用ブラケット(7)における腕部(24)が設けられた第１挟着片(21)どうしが、垂直平板状の連結部(31)を介して一体化されている。
【００４２】
互いに一体化された２つの取付用ブラケット(7)の熱交換コア部(10)への取付方法は、次の通りである。
【００４３】
図５鎖線で示すように、第１挟着片(21)どうしが連結部(31)を介して一体化され、かつ第２挟着片(22)がベース部(20)と面一となるように広がった状態の１対の取付用ブラケット(7)を用意する。この取付用ブラケット(7)のベース部(20)と第２挟着片(22)との間の境界部の上下両面に折り目溝を形成しておく。ついで、両取付用ブラケット(7)の第１挟着片(21)の腕部(24)を隣り合う２つの熱交換管(4)どうしの間に風下側から通すとともに、ベース部(20)をサイドプレート(6)における熱交換管(4)の並び方向の外面に沿わす。その後、第２挟着片(22)をベース部(20)に対して直角に曲げ、腕部(24)を貫通穴(25)に強制的に通す。このとき、係合爪(26)は、貫通穴(25)を通過する際に弾性変形し、貫通穴(25)を通過すると元の形状に復元して、上側の腕部(24)の係合爪(26)が、第２挟着片(22)における貫通穴(25)の上縁部分に係合するとともに、下側の腕部(24)の係合爪(26)が、第２挟着片(22)における貫通穴(25)の下縁部分に係合する。こうして、両挟着片(21)(22)が相互に固定されるとともに熱交換管(4)およびサイドプレート(6)に対して固定され、両取付用ブラケット(7)が熱交換コア部(10)に取り付けられる。
【００４４】
図６〜図８はこの発明の熱交換器を適用したコンデンサに用いられる取付用ブラケットの第２の変形例を示す。
【００４５】
図６および図７において、取付用ブラケット(40)はプラスチックまたは金属により形成されたものであり、サイドプレート(6)における両端のコルゲートフィン(5)とは反対側を向いた面に沿う平板状のベース部(20)に、熱交換コア部(10)を通風方向の両側から挟む１対の挟着片(41)(42)が一体に設けられている。
【００４６】
取付用ブラケット(40)の風下側の第１挟着片(41)は、先端が両端から少なくとも２番目の熱交換管(4)を越える位置、ここでは両端から４番目の熱交換管(4)を越える位置まで延びており、熱交換管(4)に対して固定されている。取付用ブラケット(7)の第１挟着片(41)に、隣り合う熱交換管(4)どうしの間を通って風上側の第２挟着片(42)側にのびる複数の腕部(43)が設けられている。第１挟着片(41)の腕部(43)は、上下方向および左右方向に間隔をおいて複数設けられており、上側の腕部(43)は上側の熱交換管(4)の下面に沿い、下側の腕部(43)は下側の熱交換管(4)の上面に沿っている。上側の複数の腕部(43)の先端部（風上側端部）には上方に屈曲した係合爪(44)が一体に設けられ、下側の複数の腕部(43)の風上側端部には下方に屈曲した係合爪(44)が一体に設けられている。取付用ブラケット(40)の第２挟着片(42)は、先端が、サイドプレート(6)における熱交換管(4)の並び方向の若干内側まで延びており、サイドプレート(6)の風上側（第１挟着片(41)とは反対側）の縁部に係合している。そして、第１挟着片(41)の上側の腕部(43)の係合爪(44)が上側の熱交換管(4)の風上側縁部に係合するとともに、下側の腕部(43)の係合爪(44)が下側の熱交換管(4)の風上側縁部に係合し、さらに第２挟着片(42)がサイドプレート(6)の風上側縁部に係合することによって、取付用ブラケット(40)の第１挟着片(41)が熱交換管(4)に対して固定されるとともに、両挟着片(41)(42)がサイドプレート(6)を通風方向の両側から挟んでいる。
【００４７】
次に、図７および図８を参照して取付用ブラケット(40)の熱交換コア部(10)への取付方法を示す。
【００４８】
まず、図７に鎖線で示すように、第１挟着片(41)がベース部(20)と面一となるように広がった状態の取付用ブラケット(40)を用意する。この取付用ブラケット(40)のベース部(20)と第１挟着片(41)との間の境界部の上下両面に折り目溝を形成しておく。ついで、ベース部(20)をサイドプレート(6)における熱交換管(4)の並び方向の外面に沿わすとともに、第２挟着片(42)をサイドプレート(6)の風上側縁部に係合させる。ついで、第１挟着片(41)をベース部(20)に対して直角に曲げて、腕部(43)を隣り合う２つの熱交換管(4)どうしの間に風下側から強制的に通す。このとき、腕部(43)および／または係合爪(44)は２つの熱交換管(4)どうしの間を通過する際に弾性変形し、熱交換管(4)どうしの間を通過すると元の形状に復元して、上側の腕部(43)の係合爪(44)が上側の熱交換管(4)の風上側縁部に係合するとともに、下側の腕部(43)の係合爪(44)が下側の熱交換管(4)の風上側縁部に係合する。こうして、第１挟着片(41)が熱交換管(4)に対して固定されるとともに、両挟着片(41)(42)がサイドプレート(6)を通風方向の両側から挟み、取付用ブラケット(7)が熱交換コア部(10)に取り付けられる。
【００４９】
図９〜図１２はこの発明の熱交換器を適用したコンデンサに用いられる取付用ブラケットの第３の変形例を示す。
【００５０】
図９において、熱交換コア部(10)の両サイドプレート(6)側（上下両側）に、それぞれ少なくとも１つ、ここでは複数の取付用ブラケット(50)(51)が設けられており、下サイドプレート(6)側に設けられた第１取付用ブラケット(50)と上サイドプレート(6)側に設けられた第２取付用ブラケット(51)とが、サイドプレート(6)の長手方向の同一位置にあるとともに、相互に一体化されている。
【００５１】
相互に一体化された２つの取付用ブラケット(50)(51)のうち一方、ここでは下サイドプレート(6)側に設けられた第１取付用ブラケット(50)はプラスチックまたは金属により形成されたものであり、サイドプレート(6)における両端のコルゲートフィン(5)とは反対側を向いた下面に沿う平板状のベース部(20)に、熱交換コア部(10)を通風方向の両側から挟む１対の垂直平板状の挟着片(52)(53)が一体に設けられており、両挟着片(52)(53)は相互に固定されるとともに熱交換管(4)およびサイドプレート(6)に対して固定され、さらにサイドプレート(6)を通風方向の両側から挟んでいる。また、相互に一体化された２つの取付用ブラケット(50)(51)のうち他方、ここでは上サイドプレート(6)側に設けられた第２取付用ブラケット(51)はプラスチックまたは金属により形成されたものであり、サイドプレート(6)における両端のコルゲートフィン(5)とは反対側を向いた下面に沿う平板状のベース部(20)に、熱交換コア部(10)を通風方向の両側から挟む１対の挟着片(54)(55)が一体に設けられており、両挟着片(54)(55)がサイドプレート(6)を通風方向の両側から挟んでいる。
【００５２】
第１取付用ブラケット(50)の両挟着片(52)(53)のうち風下側の第１挟着片(52)に、隣り合う熱交換管(4)どうしの間、ここでは下端の熱交換管(4)と下から２番目の熱交換管(4)との間を通って風上側の第２挟着片(53)側にのびる複数の腕部(56)が設けられ、同じく第２挟着片(53)に、第１挟着片(52)の腕部(56)が通る貫通穴(57)が形成されている。第１挟着片(52)の腕部(56)は上下方向および左右方向に間隔をおいて複数設けられており、上側の腕部(56)は上側の熱交換管(4)の下面に沿い、下側の腕部(56)は下側の熱交換管(4)の上面に沿っている。上側の複数の腕部(56)の先端部（風上側端部）には上方に屈曲した係合爪(58)が一体に設けられ、下側の複数の腕部(56)の風上側端部には下方に屈曲した係合爪(58)が一体に設けられている。そして、上側の腕部(56)の係合爪(58)が、第２挟着片(53)における貫通穴(57)の上縁部分（貫通穴(57)の周縁の一部分）に係合するとともに、下側の腕部(56)の係合爪(58)が、第２挟着片(53)における貫通穴(57)の下縁部分（貫通穴(57)の周縁の一部分）に係合することによって、両挟着片(52)(53)が相互に固定されるとともに熱交換管(4)およびサイドプレート(6)に対して固定され、さらにサイドプレート(6)を通風方向の両側から挟んでいる。また、第１取付用ブラケット(50)の第２挟着片(53)の先端部は、上端の熱交換管(4)と上サイドプレート(6)との間の部分まで延在している。第１取付用ブラケット(50)の第２挟着片(53)の先端部に、隣り合う熱交換管(4)どうしの間、ここでは上端の熱交換管(4)と上から２番目の熱交換管(4)との間を通って風下側にのびる複数の腕部(59)が設けられている。第２挟着片(53)の腕部(59)は、上下方向および左右方向に間隔をおいて複数設けられており、上側の腕部(59)は上側の熱交換管(4)の下面に沿い、下側の腕部(59)は下側の熱交換管(4)の上面に沿っている。上側の複数の腕部(59)の先端部（風上側端部）には上方に屈曲した係合爪(61)が一体に設けられ、下側の複数の腕部(59)の風上側端部には下方に屈曲した係合爪(61)が一体に設けられている。
【００５３】
第２取付用ブラケット(51)の両挟着片(54)(55)は、先端が、上サイドプレート(6)における熱交換管(4)の並び方向の若干内側まで延びており、上サイドプレート(6)の通風方向の両側縁部に係合している。
【００５４】
第１取付用ブラケット(50)の第１挟着片(52)と、第２取付用ブラケット(51)にの第１挟着片(54)とは、垂直平板状の連結部(63)を介して一体化され、これにより両取付用ブラケット(50)(51)が相互に一体化されている。連結部(63)に、第１取付用ブラケット(50)の第２挟着片(53)の腕部(59)が通る貫通穴(62)が形成されている。そして、第１取付用ブラケット(50)の第２挟着片(53)の上側の腕部(59)の係合爪(61)が、連結部(63)における貫通穴(62)の上縁部分（貫通穴(62)の周縁の一部分）に係合するとともに、下側の腕部(59)の係合爪(61)が、連結部(63)における貫通穴(62)の下縁部分（貫通穴(62)の周縁の一部分）に係合することによって、第１取付用ブラケット(50)の第２挟着片(53))の先端部と連結部(63)とが相互に固定されている。
【００５５】
次に、図１０〜図１２を参照して取付用ブラケット(50)(51)の熱交換コア部(10)への取付方法を示す。
【００５６】
まず、両第１挟着片(52)(54)どうしが連結部(63)を介して一体化され、第１取付用ブラケット(50)の第２挟着片(53)がベース部(20)と面一となるように広がった状態の２つの取付用ブラケット(50)(51)を用意する。第１取付用ブラケット(50)のベース部(20)と第２挟着片(53)との間の境界部の上下両面に折り目溝を形成しておく。ついで、両取付用ブラケット(50)(51)のベース部(20)をサイドプレート(6)における熱交換管(4)の並び方向の外面に沿わすとともに、第１取付用ブラケット(50)の第１挟着片(52)および連結部(63)を熱交換コア部(10)の風下側に沿わせ、さらに第２取付用ブラケット(51)の両挟着片(54)(55)を上サイドプレート(6)の通風方向の両側縁部に係合させる。
【００５７】
その後、第１取付用ブラケット(50)の第２挟着片(53)をベース部(20)に対して直角に曲げ、第１取付用ブラケット(50)の第１挟着片(52)の腕部(56)を第２挟着片(53)の貫通穴(57)に強制的に通すとともに、第２挟着片(53)の先端部の腕部(59)を連結部(63)の貫通穴(62)に強制的に通す。このとき、係合爪(58)(61)は、貫通穴(57)(62)を通過する際に弾性変形し、貫通穴(57)(62)を通過すると元の形状に復元して、各挟着片(52)(53)の上側の腕部(56)(59)の係合爪(58)(61)が、貫通穴(57)(62)の上縁部分に係合するとともに、下側の腕部(56)(59)の係合爪(58)(61)が、貫通穴(57)(62)の下縁部分に係合する。こうして、第１取付用ブラケット(50)の両挟着片(52)(53)が相互に固定されるとともに熱交換管(4)および下サイドプレート(6)に対して固定され、下サイドプレート(6)を通風方向の両側から挟み、さらに第２取付用ブラケット(51)の両挟着片(54)(55)上サイドプレート(6)を通風方向の両側から挟んで両取付用ブラケット(50)(51)が熱交換コア部(10)に取り付けられる。
【産業上の利用可能性】
【００５８】
この発明による熱交換器は、カーエアコンを構成する冷凍サイクルのコンデンサとして好適に用いられる。
【符号の説明】
【００５９】
(1)：コンデンサ（熱交換器）
(2)(3)：ヘッダタンク
(4)：熱交換管
(5)：コルゲートフィン
(6)：サイドプレート
(7)(40)(50)(51)：取付用ブラケット
(10)：熱交換コア部
(20)：ベース部
(21)(41)(52)(54)：第１挟着片
(22)(42)(53)(55)：第２挟着片
(23)：取付片
(24)(43)(56)(59)：腕部
(25)(57)(62)：貫通穴
(26)(44)(58)(61)：係合爪
(31)(63)：連結部
【図１】
2014153002.tif 000003
【図２】
2014153002.tif 000004
【図３】
2014153002.tif 000005
【図４】
2014153002.tif 000006
【図５】
2014153002.tif 000007
【図６】
2014153002.tif 000008
【図７】
2014153002.tif 000009
【図８】
2014153002.tif 000010
【図９】
2014153002.tif 000011
【図１０】
2014153002.tif 000012
【図１１】
2014153002.tif 000013
【図１２】
2014153002.tif 000014